(57)【要約】【課題】電動送風機において、インペラとスペーサとの接触による騒音を減少すること。【解決手段】ファンケーススペーサ８の外周部を、ファンケース６の開口部を構成する端面に圧入させ、ファンケーススペーサ８のリング状の溝部Ａ５１の内周を、インペラ４の略筒状で天面を円形状に開口した吸気口内径部７の内周と接触させ、インペラ４の回転により吸気口内径部７でリング状の溝部Ａ５１の内周を切削することで、インペラ４とファンケーススペーサ８とを密接させ気密性を保持すると共に、吸気口内径部７の、リング状の溝部Ａ５１の内周との接触面に、リング状の溝部Ｂ９を形成したことにより、インペラ４の吸気口内径部７とファンケーススペーサ８との接触面積が小さくなることで、インペラ４とファンケーススペーサ８の接触面の機密性を保持したまま、インペラ４とファンケーススペーサ８の接触により生ずるこすれ音を減少させることができる。【選択図】図１
2009167863.tif 000002
【特許請求の範囲】
【請求項１】
界磁巻線と界磁コアを有した界磁部と、前記界磁部の内側に配置され、電機子巻線と電機子コア及び回転軸を有する電機子と、前記界磁部を収納し、前記電機子を回転自在に挟持するハウジングと、前記電機子の回転軸の一端に固定されたインペラと、前記インペラが回転することにより発生した気流を導くエアガイドと、前記インペラを覆うように前記ハウジングに圧入固定されその天面中央に円形状の開口部を有するファンケースと、前記ファンケースと前記インペラとに嵌合して吸気口部を形成する、略ドーナツ状で下面にリング状の溝部Ａを有する合成樹脂からなるファンケーススペーサとを備え、前記ファンケーススペーサの外周部を、前記ファンケースの円形状の開口部を構成するファンケース端面に圧入させ、前記ファンケーススペーサの前記リング状の溝部Ａの内周を、前記インペラの内周から上方へ延びた略筒状で天面を円形状に開口した吸気口内径部の内周と接触させ、かつ前記インペラの回転により前記インペラの吸気口内径部で前記ファンケーススペーサの前記リング状の溝部Ａの内周を切削することで、前記インペラと前記ファンケーススペーサとを密接させて気密性を保持すると共に、前記インペラの吸気口内径部の、前記ファンケーススペーサのリング状の溝部Ａの内周との接触面に、リング状の溝部Ｂを形成した電動送風機。
【請求項２】
ファンケーススペーサのリング状の溝部Ａの内周と接触する、インペラの略筒状の吸気口内径部の内周に、下方に向かうに従って内径が段階的に小さくなるようなリング状の段差を複数箇所設け、各段差に、リング状の溝部Ｂを形成した請求項１記載の電動送風機。
【請求項３】
界磁巻線と界磁コアを有した界磁部と、前記界磁部の内側に配置され、電機子巻線と電機子コア及び回転軸を有する電機子と、前記界磁部を収納し、前記電機子を回転自在に挟持するハウジングと、前記電機子の回転軸の一端に固定されたインペラと、前記インペラが回転することにより発生した気流を導くエアガイドと、前記インペラを覆うように前記ハウジングに圧入固定されその天面中央に円形状の開口部を有するファンケースと、前記ファンケースと前記インペラとに嵌合して吸気口部を形成する、略ドーナツ状で下面にリング状の溝部Ａを有する合成樹脂からなるファンケーススペーサとを備え、前記ファンケーススペーサの外周部を、前記ファンケースの円形状の開口部を構成するファンケース端面に圧入させ、前記ファンケーススペーサの前記リング状の溝部Ａの内周を、前記インペラの内周から上方へ延びた略筒状で天面を円形状に開口した吸気口内径部の内周と接触させ、かつ前記インペラの回転により前記インペラの吸気口内径部で前記ファンケーススペーサの前記リング状の溝部Ａの内周を切削することで、前記インペラと前記ファンケーススペーサとを密接させて気密性を保持すると共に、前記ファンケーススペーサの前記リング状の溝部Ａの内周の、前記インペラの吸気口内径部の内周との接触面に、リング状の溝部Ｃを形成した電動送風機。
【請求項４】
インペラの略筒状の吸気口内径部の内周と接触する、ファンケーススペーサのリング状の溝部Ａの内周に、下方に向かうに従って内径が段階的に大きくなるようなリング状の段差を複数箇所設け、各段差に、リング状の溝部Ｃを形成した請求項３記載の電動送風機。
【請求項５】
請求項１〜４のいずれか１項に記載の電動送風機を用いた電気掃除機。
【発明の詳細な説明】
【技術分野】
【０００１】
本発明は電動送風機の低騒音化に関するものである。
【背景技術】
【０００２】
従来、この種の電動送風機は、インペラの吸気口内径部とファンケーススペーサとの接触面を、ものづくり面でのバラツキを考慮し、接触しないことが無いよう余分に確保している。
【０００３】
図６は、従来の電動送風機を示すものである。図７は、従来の電動送風機に用いられるインペラを示すものである。図８は、従来の電動送風機に用いられるファンケースを示すものである。図６、図７、及び図８に示すように、界磁巻線と界磁コアを有した界磁部１と、前記界磁部１の内側に配置され、電機子巻線と電機子コア及び回転軸を有する電機子２と、前記界磁部１を収納し、前記電機子２を回転自在に挟持するハウジング３と、前記電機子２の回転軸の一端に固定されたインペラ４と、前記インペラ４が回転することにより発生した気流を導くエアガイド５と、前記インペラ４を覆うように前記ハウジング３に圧入固定されたファンケース６と、前記ファンケース６の吸気口部に前記インペラ４の方向へ突出し、かつ前記インペラ４の回転力により、前記インペラ４の吸気口内径部７に切削されながら密接することで気密性を保持する合成樹脂からなるファンケーススペーサ８から構成されている。
【０００４】
以上のように構成された電動送風機について、以下その動作について説明する。
【０００５】
電動送風機に電源が印加されると、界磁部１より発生した磁束により、電機子２が高速回転を始める。次に電機子２が回転することにより、回転軸の一端に固定されたインペラ４が回転する。インペラ４が高速回転をすることにより、空気がファンケーススペーサ８の吸気口から入り、インペラ４、エアガイド５、ハウジング３内部を通過し、最終的に電動送風機の外部へ排出される。また、上記電動送風機は送風効率向上のため、ファンケース６をハウジング３に圧入する際に、インペラ４を回転させながら圧入し、吸気口内径部７を合成樹脂で形成されたファンケーススペーサ８に圧接することで切削し、インペラ４とファンケーススペーサ８を密接させている。また、上記構成の電動送風機はインペラ４とファンケーススペーサ８との接触面を、ものづくり面での寸法バラツキを配慮し、通常多めに確保し、確実に接触されるよう構成されている（例えば、特許文献１参照）。
【特許文献１】特開２０００−６４９９３号公報
【発明の開示】
【発明が解決しようとする課題】
【０００６】
しかしながら、前記従来の構成では、インペラ４とファンケーススペーサ８の接触面が多めに確保されていることで、インペラ４とファンケーススペーサ８が接触する際のこすれ音が大きくなるという課題を有していた。
【０００７】
本発明は、前記従来の課題を解決するもので、インペラ４とファンケーススペーサ８が接触する際のこすれ音を減少させることで、騒音の減少化を特徴とした電動送風機を提供することを目的とする。
【課題を解決するための手段】
【０００８】
前記従来の課題を解決するために、本発明の電動送風機は、インペラの吸気口内径部のファンケーススペーサとの接触面に、リング状の溝を形成したことを特徴とするものである。
【０００９】
これによって、インペラとファンケーススペーサの接触面積が小さくなることで、インペラとファンケーススペーサの接触により生ずるこすれ音が減少し、電動送風機の低騒音化が可能となる。
【００１０】
また、インペラとファンケースとの気密性は、接触面積が小さくなることで弱化することはなく、上記手段においても電動送風機の送風効率を低下させることにはならない。
【発明の効果】
【００１１】
本発明の電動送風機は、インペラとファンケーススペーサの接触面の機密性を保持したまま、インペラとファンケーススペーサが接触する際のこすれ音を減少させ、低騒音化することができる。
【発明を実施するための最良の形態】
【００１２】
第１の発明は、界磁巻線と界磁コアを有した界磁部と、前記界磁部の内側に配置され、電機子巻線と電機子コア及び回転軸を有する電機子と、前記界磁部を収納し、前記電機子を回転自在に挟持するハウジングと、前記電機子の回転軸の一端に固定されたインペラと、前記インペラが回転することにより発生した気流を導くエアガイドと、前記インペラを覆うように前記ハウジングに圧入固定されその天面中央に円形状の開口部を有するファンケースと、前記ファンケースと前記インペラとに嵌合して吸気口部を形成する、略ドーナツ状で下面にリング状の溝部Ａを有する合成樹脂からなるファンケーススペーサとを備え、前記ファンケーススペーサの外周部を、前記ファンケースの円形状の開口部を構成するファンケース端面に圧入させ、前記ファンケーススペーサの前記リング状の溝部Ａの内周を、前記インペラの内周から上方へ延びた略筒状で天面を円形状に開口した吸気口内径部の内周と接触させ、かつ前記インペラの回転により前記インペラの吸気口内径部で前記ファンケーススペーサの前記リング状の溝部Ａの内周を切削することで、前記インペラと前記ファンケーススペーサとを密接させて気密性を保持すると共に、前記インペラの吸気口内径部の、前記ファンケーススペーサのリング状の溝部Ａの内周との接触面に、リング状の溝部Ｂを形成したことにより、インペラとファンケーススペーサの接触面積が小さくなることで、インペラとファンケーススペーサの接触面の機密性を保持したまま、インペラとファンケーススペーサの接触により生ずるこすれ音を減少させ、低騒音化することができる。
【００１３】
第２の発明は、特に、第１の発明のファンケーススペーサのリング状の溝部Ａの内周と接触する、インペラの略筒状の吸気口内径部の内周に、下方に向かうに従って内径が段階的に小さくなるようなリング状の段差を複数箇所設け、各段差に、リング状の溝部Ｂを形成したことにより、ファンケースをハウジングに圧入する時の、インペラの回転力によるファンケーススペーサの切削を容易にすることができ、かつ、リング状の溝部の内径を下方に向かうに従って、段階的に小さくすることで、インペラとファンケーススペーサの接触面の機密性をより高め、かつ、インペラとファンケーススペーサの接触により生ずるこすれ音を減少させ、低騒音化することができる。
【００１４】
第３の発明は、界磁巻線と界磁コアを有した界磁部と、前記界磁部の内側に配置され、電機子巻線と電機子コア及び回転軸を有する電機子と、前記界磁部を収納し、前記電機子を回転自在に挟持するハウジングと、前記電機子の回転軸の一端に固定されたインペラと、前記インペラが回転することにより発生した気流を導くエアガイドと、前記インペラを覆うように前記ハウジングに圧入固定されその天面中央に円形状の開口部を有するファンケースと、前記ファンケースと前記インペラとに嵌合して吸気口部を形成する、略ドーナツ状で下面にリング状の溝部Ａを有する合成樹脂からなるファンケーススペーサとを備え、前記ファンケーススペーサの外周部を、前記ファンケースの円形状の開口部を構成するファンケース端面に圧入させ、前記ファンケーススペーサの前記リング状の溝部Ａの内周を、前記インペラの内周から上方へ延びた略筒状で天面を円形状に開口した吸気口内径部の内周と接触させ、かつ前記インペラの回転により前記インペラの吸気口内径部で前記ファンケーススペーサの前記リング状の溝部Ａの内周を切削することで、前記インペラと前記ファンケーススペーサとを密接させて気密性を保持すると共に、前記ファンケーススペーサの前記リング状の溝部Ａの内周の、前記インペラの吸気口内径部の内周との接触面に、リング状の溝部Ｃを形成したことにより、インペラとファンケーススペーサの接触面積が小さくなることで、インペラとファンケーススペーサの接触面の機密性を保持したまま、インペラとファンケーススペーサの接触により生ずるこすれ音を減少させ、低騒音化することができる。
【００１５】
第４の発明は、特に、第３の発明のインペラの略筒状の吸気口内径部の内周と接触する、ファンケーススペーサのリング状の溝部Ａの内周に、下方に向かうに従って内径が段階的に大きくなるようなリング状の段差を複数箇所設け、各段差に、リング状の溝部Ｃを形成したことにより、ファンケースをハウジングに圧入する時の、インペラの回転力によるファンケーススペーサの切削を容易にすることができ、かつ、インペラとファンケーススペーサの接触により生ずるこすれ音を減少させ、低騒音化することができる。
【００１６】
第５の発明は、特に、第１〜４のいずれか１つの発明の電動送風機を用いた電気掃除機としたもので、インペラとファンケーススペーサの接触面の機密性を保持したまま、インペラとファンケーススペーサが接触する際のこすれ音を減少させることが可能で、低騒音化を実現した電気掃除機を提供できる。
【００１７】
以下、本発明の実施の形態について、図面を参照しながら説明する。なお、この実施の形態によって本発明が限定されるものではない。
【００１８】
（実施の形態１）
図１（ａ）は本発明の第１の実施の形態における電動送風機の半断面図、図１（ｂ）は同、電動送風機の主要構成部の断面図を示すものである。
【００１９】
図１（ａ）、図１（ｂ）において、界磁巻線と界磁コアを有した界磁部１と、界磁部１の内側に配置され、電機子巻線と電機子コア及び回転軸を有する電機子２と、界磁部１を収納し、電機子２を回転自在に挟持するハウジング３と、電機子２の回転軸の一端に固定されたインペラ４と、インペラ４が回転することにより発生した気流を導くエアガイド５と、インペラ４を覆うようにハウジング３に圧入固定されたファンケース６と、ファンケース６の吸気口部にインペラ４の方向へ突出し、かつインペラ４の回転力により、インペラ４の吸気口内径部７に切削されながら密接することで気密性を保持する合成樹脂からなる略ドーナツ状のファンケーススペーサ８から構成される電動送風機において、インペラ４の吸気口内径部７の、ファンケーススペーサ８の下面に設けられたリング状の溝Ａ５１の内周との接触面に、リング状の溝Ｂ９を複数形成している。
【００２０】
以上のように構成された電動送風機について、以下その動作、作用を説明する。
【００２１】
まず、電動送風機に電源が印加されると、界磁部１より発生した磁束により、電機子２が高速回転を始める。次に電機子２が回転することにより、回転軸の一端に固定されたインペラ４が回転する。インペラ４が高速回転をすることにより、空気がファンケーススペーサ８の吸気口から入り、インペラ４、エアガイド５、ハウジング３内部を通過し、最終的に電動送風機の外部へ排出される。また、上記電動送風機は送風効率向上のため、ファンケース６をハウジング３に圧入する際に、インペラ４を回転させながら圧入し、吸気口内径部７を合成樹脂で形成されたファンケーススペーサ８に圧接することで切削し、インペラ４とファンケーススペーサ８を密接させているが、インペラ４の吸気口内径部７のファンケーススペーサとの接触面にリング状の溝Ｂ９を複数形成していることにより、インペラ４の吸気口内径部７とファンケーススペーサ８との接触面積が小さくなることで、インペラ４とファンケーススペーサ８の接触面の機密性を保持したまま、インペラ４とファンケーススペーサ８の接触により生ずるこすれ音を減少させ、低騒音化することができる。
【００２２】
以上のように、本実施の形態においては、インペラの吸気口内径部のファンケーススペーサとの接触面に円周状の溝を複数形成していることにより、インペラの吸気口内径部とファンケーススペーサとの接触面積が小さくすることで、インペラとファンケーススペーサの接触面の機密性を保持したまま、インペラとファンケーススペーサの接触により生ずるこすれ音を減少させ、低騒音化することができる。
【００２３】
（実施の形態２）
図２は、本発明の第２の実施の形態の電動送風機の主要構成部の断面図である。尚、実施の形態１と同一構成部品については同一符号を付して、その詳細な説明を省略する。
【００２４】
図２において、インペラ４の吸気口内径部７のファンケーススペーサ８との接触面に、ファンケーススペーサ８の下方に向かうに従って、内径が段階的に小さくなるようなリング状の段差１０を複数形成している。
【００２５】
以上のように構成された電動送風機について、以下その動作、作用を説明する。
【００２６】
まず、ファンケース６をハウジング３に圧入する際に、インペラ４を回転させながら圧入し、吸気口内径部７を合成樹脂で形成されたファンケーススペーサ８に圧接することで切削し、インペラ４とファンケーススペーサ８を密接させているが、インペラ４の吸気口内径部７のファンケーススペーサとの接触面に、ファンケーススペーサ８の方向に向かうにつれ、内径が大きくなるようなリング状の凹凸（段差）１０を複数形成していることにより、ファンケース６をハウジング３に圧入する時の、インペラ４の回転力によるファンケーススペーサ８の切削を容易にすることができ、かつ、凸部の内径をファンケーススペーサ８の逆方向に向うにつれ、段階的に小さくすることで、インペラ４とファンケーススペーサ８の接触面の機密性をより高め、かつ、インペラ４とファンケーススペーサ８の接触により生ずるこすれ音を減少させ、低騒音化することができる。
【００２７】
以上のように、本実施の形態においては、インペラの吸気口内径部のファンケーススペーサとの接触面に、ファンケーススペーサの方向に向かうにつれ、内径が大きくなるような円周状の凹凸部を複数形成していることにより、ファンケースをハウジングに圧入する時の、インペラの回転力によるファンケーススペーサの切削を容易にすることができ、かつ、凸部の内径をファンケーススペーサの逆方向に向うにつれ、段階的に小さくすることで、インペラとファンケーススペーサの接触面の機密性をより高め、かつ、インペラとファンケーススペーサの接触により生ずるこすれ音を減少させ、低騒音化することができる。
【００２８】
（実施の形態３）
図３は、本発明の第３の実施の形態の電動送風機の主要構成部の断面図である。尚、実施の形態１と同一構成部品については同一符号を付して、その説明を省略する。
【００２９】
図３において、インペラ４の吸気口内径部７のファンケーススペーサ８との接触面に、しぼ加工のような微小凹凸部１１を形成している。
【００３０】
以上のように構成された電動送風機について、以下その動作、作用を説明する。
【００３１】
まず、上記電動送風機は送風効率向上のため、ファンケース６をハウジング３に圧入する際に、インペラ４を回転させながら圧入し、吸気口内径部７を合成樹脂で形成されたファンケーススペーサ８に圧接することで切削し、インペラ４とファンケーススペーサ８を密接させているが、インペラ４の吸気口内径部７のファンケーススペーサ８との接触面にしぼ加工のような微小凹凸部１１を形成していることにより、インペラ４の吸気口内径部７とファンケーススペーサ８との接触面積が小さくなることで、インペラ４とファンケーススペーサ８の接触面の機密性を保持したまま、インペラ４とファンケーススペーサ８の接触により生ずるこすれ音を減少させ、低騒音化することができる。
【００３２】
以上のように、本実施の形態においては、インペラの吸気口内径部のファンケーススペーサとの接触面にしぼ加工のような微小凹凸部を形成していることにより、インペラの吸気口内径部とファンケーススペーサとの接触面積が小さくなることで、インペラとファンケーススペーサの接触面の機密性を保持したまま、インペラとファンケーススペーサの接触により生ずるこすれ音を減少させ、低騒音化することができる。
【００３３】
（実施の形態４）
図４は、本発明の第４の実施の形態の電動送風機の主要構成部の断面図である。尚、実施の形態１と同一構成部品については同一符号を付して、その説明を省略する。
【００３４】
図４において、ファンケーススペーサ８のインペラ４の吸気口内径部７との接触面に、リング状の溝Ｃ１２を複数形成している。
【００３５】
以上のように構成された電動送風機について、以下その動作、作用を説明する。
【００３６】
まず、上記電動送風機は送風効率向上のため、ファンケース６をハウジング３に圧入する際に、インペラ４を回転させながら圧入し、吸気口内径部７を合成樹脂で形成されたファンケーススペーサ８に圧接することで切削し、インペラ４とファンケーススペーサ８を密接させているが、ファンケーススペーサ８のインペラ４の吸気口内径部７との接触面にリング状の溝Ｃ１２を複数形成していることにより、インペラ４の吸気口内径部７とファンケーススペーサ８との接触面積が小さくなることで、インペラ４とファンケーススペーサ８の接触面の機密性を保持したまま、インペラ４とファンケーススペーサ８の接触により生ずるこすれ音を減少させ、低騒音化することができる。
【００３７】
以上のように、本実施の形態においては、ファンケーススペーサのインペラの吸気口内径部との接触面に、リング状の溝Ｃを単数又は複数形成することにより、インペラとファンケーススペーサの接触面積が小さくなることで、インペラとファンケーススペーサの接触面の機密性を保持したまま、インペラとファンケーススペーサの接触により生ずるこすれ音を減少させ、低騒音化することができる。
【００３８】
（実施の形態５）
図５は、本発明の第５の実施の形態の電動送風機の主要構成部の断面図である。尚、本図面はファンケースをハウジングに圧入する前の状態であり、また、実施の形態１と同一構成部品については同一符号を付して、その詳細な説明を省略する。
【００３９】
図５において、ファンケーススペーサ８のインペラ４の吸気口内径部７との接触面に、インペラ４の方向に向うにつれ、外径が小さくなるようなリング状の段差１３を複数形成している。
【００４０】
以上のように構成された電動送風機について、以下その動作、作用を説明する。
【００４１】
まず、ファンケース６をハウジング３に圧入する際に、インペラ４を回転させながら圧入し、吸気口内径部７を合成樹脂で形成されたファンケーススペーサ８に圧接することで切削し、インペラ４とファンケーススペーサ８を密接させているが、ファンケーススペーサ８のインペラ４の吸気口内径部７との接触面に、インペラ４の方向に向うにつれ、外径が小さくなるようなリング状の凹凸部（段差）１３を複数形成していることにより、ファンケース６をハウジング３に圧入する時のインペラ４の回転力によるファンケーススペーサ８の切削を容易にすることができ、かつ、インペラ４の吸気口内径部７とファンケーススペーサ８との接触面積が小さくなることで、インペラ４とファンケーススペーサ８の接触により生ずるこすれ音を減少させ、低騒音化することができる。
【００４２】
以上のように、本実施の形態においては、ファンケーススペーサのインペラの吸気口内径部との接触面に、インペラの方向に向うにつれ、外径が小さくなるようなリング状の段差を複数形成することにより、ファンケースをハウジングに圧入する時の、インペラの回転力によるファンケーススペーサの切削を容易にすることができ、かつ、インペラとファンケーススペーサの接触により生ずるこすれ音を減少させ、低騒音化することができる。
【産業上の利用可能性】
【００４３】
以上のように、本発明にかかる電動送風機は、送風効率を保持したまま、低騒音化が可能となるので、吸引力を発生させる電動送風機を用いる機器の用途に適用できる。
【図面の簡単な説明】
【００４４】
【図１】（ａ）本発明の実施の形態１における電動送風機の一部断面図（ｂ）同、電動送風機の要部断面図
【図２】本発明の実施の形態２における電動送風機の要部断面図
【図３】本発明の実施の形態３における電動送風機の要部断面図
【図４】本発明の実施の形態４における電動送風機の要部断面図
【図５】本発明の実施の形態５における電動送風機の要部断面図
【図６】従来の電動送風機の一部断面図
【図７】従来の電動送風機に用いられるインペラの斜視図
【図８】従来の電動送風機に用いられるファンケースの斜視図
【符号の説明】
【００４５】
１    界磁部
２    電機子
３    ハウジング
４    インペラ
５    エアガイド
６    ファンケース
７    吸気口内径部
８    ファンケーススペーサ
９    リング状の溝Ｂ
１０  リング状の段差
１１  微小凹凸部
１２  リング状の溝Ｃ
１３  リング状の段差
５１  リング状の溝Ａ
【図１】
2009167863.tif 000003
【図２】
2009167863.tif 000004
【図３】
2009167863.tif 000005
【図４】
2009167863.tif 000006
【図５】
2009167863.tif 000007
【図６】
2009167863.tif 000008
【図７】
2009167863.tif 000009
【図８】
2009167863.tif 000010